(57)【要約】【課題】電子機器における第１筐体および第２筐体間にイオン空気を送り込むことにより、良好な清浄効果が得られる電子機器用置台を提供する。【解決手段】電子機器用置台１０は、本体１１に収容されてイオンを発生させるイオン発生部１３と、電子機器２１を携帯状態で挿入可能な挿入部１４と、イオンを含んだ空気を挿入部１４内に送風する送風部１５と、外部電源に接続される電源部１６と、電子機器２１の充電端子４２に接触して給電する給電端子１７と、挿入部１４に挿入された電子機器２１の第１筐体２２を固定する固定手段１８と、挿入部１４に挿入された電子機器２１の第２筐体２３を第１筐体２２から離れる方向に移動させる移動手段１９とを備えている。【選択図】図２
2013042336.tif 000002
【特許請求の範囲】
【請求項１】
本体と、
前記本体に収容されてイオンを発生させるイオン発生部と、
ヒンジ部を介して第１筐体および第２筐体が連結された電子機器を携帯状態で挿入可能な挿入部と、
前記本体に収容され、前記本体の外気を吸引するとともに前記イオンを含んだ空気を前記挿入部内に送風する送風部と、
前記本体に収容され、外部電源に接続される電源部と、
前記電源部に接続され、前記挿入部内において前記電子機器の充電端子に接触して給電する給電端子と、
前記挿入部に挿入された前記電子機器の前記第１筐体を固定する固定手段と、
前記挿入部に挿入された前記電子機器の前記第２筐体を前記第１筐体から離れる方向に移動させる移動手段と、を備える電子機器用置台。
【請求項２】
請求項１に記載の電子機器用置台において、
前記移動手段が、前記第２筐体の端面に密着する弾性部材と、前記弾性部材を回動させる回動部とを有する電子機器用置台。
【請求項３】
請求項１に記載の電子機器用置台において、
前記移動手段が、前記第１筐体および前記第２筐体間に挿入可能な先細りの挿入部材を有する電子機器用置台。
【請求項４】
請求項３に記載の電子機器用置台において、
前記挿入部材が、前記送風部からの空気を前記第１筐体および前記第２筐体間に案内する導通路を有する電子機器用置台。
【請求項５】
請求項３に記載の電子機器用置台において、
前記挿入部材の外面に磁石が設けられている電子機器用置台。
【請求項６】
請求項１ないし請求項５のうちのいずれか１項に記載の電子機器用置台において、
前記挿入部の内面に磁石が設けられている電子機器用置台。
【発明の詳細な説明】
【技術分野】
【０００１】
本発明は、第１筐体および第２筐体が互いに積層された携帯状態と、第１筐体および第２筐体が互いに離れた伸長状態とを取り得る電子機器を携帯状態で保持可能な電子機器用置台に関する。
【背景技術】
【０００２】
近年、衛生に対する意識の高まりから、携帯電話等の電子機器の表面を清潔に保つ機器が求められている。
特に、ヒンジ部を介して第１筐体および第２筐体が連結された二つ折り形式の携帯電話は、使用にあたって第１筐体の操作部、マイク部や第２筐体の表示部、レシーバ等が使用者の手や顔の各部（口・頬・耳）に接触するため、該当箇所を清潔に保つ機器が望まれている。
一方で、室内にイオンを含んだ空気（以下、イオン空気という）を送風して室内を清浄に保つ空気清浄機が知られている（特許文献１）。
【先行技術文献】
【特許文献】
【０００３】
【特許文献１】特開２０１０−１１４１１号公報（段落０００２、段落０００６）
【発明の概要】
【発明が解決しようとする課題】
【０００４】
特許文献１のような空気清浄機の近傍に電子機器を置けば、電子機器の表面はイオン空気により清浄に保たれる。
しかしながら、特許文献１の空気清浄機は、二つ折り形式の携帯電話を操作部および表示部が対面するように第１筐体および第２筐体が積層された携帯状態における第１筐体および第２筐体間にイオン空気を積極的に送り込む機能がないため、最も清浄したい箇所を清浄できないという不都合がある。
伸長状態で携帯電話を空気清浄機の近傍に置くと、不安定であり、落下させる等の虞がある。
【０００５】
本発明は、前述した課題を解決するためになされたものであり、その目的は、第１筐体および第２筐体が互いに積層された携帯状態の電子機器における第１筐体および第２筐体間にイオン空気を送り込むことにより、良好な清浄効果が得られる電子機器用置台を提供することにある。
【課題を解決するための手段】
【０００６】
本発明の電子機器用置台は、本体と、前記本体に収容されてイオンを発生させるイオン発生部と、ヒンジ部を介して第１筐体および第２筐体が連結された電子機器を携帯状態で挿入可能な挿入部と、前記本体に収容され、前記本体の外気を吸引するとともに前記イオンを含んだ空気を前記挿入部内に送風する送風部と、前記本体に収容され、外部電源に接続される電源部と、前記電源部に接続され、前記挿入部内において前記電子機器の充電端子に接触して給電する給電端子と、前記挿入部に挿入された前記電子機器の前記第１筐体を固定する固定手段と、前記挿入部に挿入された前記電子機器の前記第２筐体を前記第１筐体から離れる方向に移動させる移動手段と、を備える。
【０００７】
電子機器用置台に挿入部を備え、挿入部に第１筐体および第２筐体がヒンジ部を介して連結された電子機器を携帯状態で挿入可能とした。さらに、電子機器用置台に移動手段を備え、移動手段で第２筐体を第１筐体から離れる方向に移動可能とした。
【０００８】
よって、挿入部に電子機器を挿入した状態において、第１筐体および第２筐体間に所定の隙間（間隔）を確保できる。
これにより、携帯状態の電子機器における第１筐体および第２筐体間に、イオンを含んだ空気（イオン空気）を好適に送り込むことが可能になり、良好な清浄（除菌）効果が得られる。
【０００９】
また、本発明の電子機器用置台は、前記移動手段が、前記第２筐体の端面に密着する弾性部材と、前記弾性部材を回動させる回動部とを有する。
【００１０】
移動手段の弾性部材を第２筐体の端面に密着させ、弾性部材を回動させることにより第２筐体を第１筐体から離れる方向に移動可能とした。
これにより、電子機器を傷つけることなく、第１筐体および第２筐体間に所定の隙間（間隔）を確保できる。
【００１１】
さらに、本発明の電子機器用置台は、前記移動手段が、前記第１筐体および前記第２筐体間に挿入可能な先細りの挿入部材を有する。
【００１２】
移動手段に先細りの挿入部材を備え、この挿入部材を第１筐体および第２筐体間に挿入可能とした。
挿入部材を第１筐体および第２筐体間に挿入することにより、第１筐体および第２筐体間に所定の隙間（間隔）を確保できる。
先細りの挿入部材は簡素な構成であり、低コストの挿入部材で第１筐体および第２筐体間に所定の隙間（間隔）を確保できる。
【００１３】
また、本発明の電子機器用置台は、前記挿入部材が、前記送風部からの空気を前記第１筐体および前記第２筐体間に案内する導通路を有する。
【００１４】
挿入部材に導通路を有し、導通路から送風した空気（イオン空気）を第１筐体および第２筐体間に案内するようにした。
これにより、第１筐体および第２筐体間にイオン空気を一層好適に送り込むことが可能になり、一層良好な清浄（除菌）効果が得られる。
【００１５】
さらに、本発明の電子機器用置台は、前記挿入部材の外面に磁石が設けられている。
【００１６】
ここで、電子機器は携帯状態から伸長状態に移行する際に、自身の状態（携帯または伸長）を磁力で検知する検出部が第１筐体、第２筐体に設けられている。
このため、電子機器用置台の挿入部内において、電子機器を携帯状態から伸長状態に移行する途中の半開脚状態にさせた際に、電子機器が移行途中であることを検出部が検出して表示部や操作部を点灯させ、電力を消費することが考えられる。
【００１７】
そこで、電子機器用置台に備えた挿入部材の外面に磁石を設けるようにした。
挿入部材の外面に磁石を設けることにより、電子機器が携帯状態と同じ磁力状態に保つことができる。
これにより、検出部が動作をしないようにして、表示部や操作部の点灯を防いで電力の消費を抑えることができる。
【００１８】
さらに、挿入部材の外面に磁石を設けることにより検出部の動作を抑えることができるので、第１筐体および第２筐体間の隙間（間隔）を、例えば清浄（除菌）効果に合わせて任意に調整できる。
【００１９】
また、本発明の電子機器用置台は、前記挿入部の内面に磁石が設けられている。
【００２０】
挿入部の内面に磁石を設けることにより、電子機器が携帯状態と同じ磁力状態に保つことができる。
これにより、検出部が動作をしないようにして、表示部や操作部の点灯を防いで電力の消費を抑えることができる。
【００２１】
さらに、挿入部の内面に磁石を設けることにより検出部の動作を抑えることができるので、第１筐体および第２筐体間の隙間（間隔）を、例えば清浄（除菌）効果に合わせて任意に調整できる。
【発明の効果】
【００２２】
本発明の電子機器用置台によれば、電子機器用置台に移動手段を備え、移動手段で第２筐体を第１筐体から離れる方向に移動可能とした。
これにより、携帯状態の電子機器における第１筐体および第２筐体間に、イオンを含んだ空気（イオン空気）を好適に送り込むことが可能になり、良好な清浄（除菌）効果が得られるという効果を有する。
特に、第１筐体の操作部、マイク部や第２筐体の表示部、レシーバ等の良好な清浄（除菌）効果が得られる。
【図面の簡単な説明】
【００２３】
【図１】本発明に係る電子機器用置台の第１実施形態を示す斜視図
【図２】図１の電子機器用置台を示す断面図
【図３】本発明に係る電子機器用置台の第２実施形態を示す断面図
【図４】本発明に係る電子機器用置台の変形例１を示す斜視図
【図５】本発明に係る電子機器用置台の変形例２を示す斜視図
【発明を実施するための形態】
【００２４】
以下、本発明の実施形態に係る電子機器用置台１０について図面を参照して説明する。
【００２５】
（第１実施形態）
図１に示すように、本発明の第１実施形態である電子機器用置台１０は、本体１１の挿入部１４に電子機器２１を挿入して充電可能で、かつ、電子機器２１を清浄（除菌）可能な置台である。
【００２６】
電子機器２１は、略矩形体状に形成された第１筐体２２と、略矩形体状に形成された第２筐体２３と、第１筐体２２および第２筐体２３を開閉自在に連結するヒンジ部２４と備えた開閉式の携帯端末である。
この電子機器２１は、第１筐体２２および第２筐体２３が互いに積層された携帯状態と、第１筐体２２および第２筐体２３が互いに離れた伸長状態とを取り得る。
【００２７】
図２に示すように、電子機器用置台１０は、略矩形体状に形成された本体１１と、本体１１の上部に設けられた蓋部材１２と、本体１１に収容されたイオン発生部１３と、本体１１内に電子機器２１を挿入可能な挿入部１４と、イオン発生部１３のイオンを送風する送風部１５とを備えている。
【００２８】
さらに、電子機器用置台１０は、外部電源（図示せず）に接続可能な電源部１６と、電源部１６に接続された給電端子１７と、電子機器２１の第１筐体２２を固定する固定手段１８と、電子機器２１の第２筐体２３を移動させる移動手段１９とを備えている。
【００２９】
本体１１は、略矩形体状に形成され（図１参照）、底部１１Ａがテーブル等に載置可能平坦に形成され、頂部１１Ｂに開口２６（図１参照）が形成されている。
開口２６は、電子機器２１を携帯状態で挿入可能に形成されている。
【００３０】
蓋部材１２は、本体１１の上部に支持軸２８を介して開閉自在に支持されている。
蓋部材１２を開けることにより開口２６（図１参照）が開放され、蓋部材１２を閉じることにより開口２６が閉塞される。
蓋部材１２を閉じた状態において、蓋部材１２および開口２６間に排気口２９が形成される。
【００３１】
イオン発生部１３は、本体１１の底部１１Ａに収容され、かつ、挿入部１４の下方に設けられている。
このイオン発生部１３は、イオンを発生させる部位であり、導通路３１を介して挿入部１４の底部１４Ａに連通されている。
よって、イオン発生部１３で発生したイオンは、導通路３１で空気に含まれイオン空気として導通路３１を経て挿入部１４に導かれる。
【００３２】
なお、イオン空気としては、例えば、水に包まれた微粒子イオンや、マイナスイオンもしくはプラスイオンそれぞれ単独のイオン空気や、マイナスイオンとプラスイオンを同時に存在させたイオン空気、等が挙げられる。
【００３３】
イオン発生部１３の上方に挿入部１４が設けられている。
挿入部１４は、上端部が開口２６（図１参照）に連通され、導通路３１が開口された底部１４Ａ、第１筐体２２に対向する第１内面（内面）１４Ｂと、第２筐体２３に対向する第２内面（内面）１４Ｃとを有する。
【００３４】
挿入部１４の底部１４Ａは、送風部１５やイオン発生部１３に導通路３１を介して連通されている。
第１内面１４Ｂは略鉛直状に形成されている。さらに、第２内面１４Ｃは傾斜状に形成されている。
【００３５】
この挿入部１４は、電子機器２１のヒンジ部２４を上方に配置し、かつ、電子機器２１を携帯状態で挿入可能に形成されている。
さらに、挿入部１４の第２内面１４Ｃを傾斜状に形成することにより、挿入部１４内において、電子機器２１の第２筐体２３を第１筐体２２から離れる方向に所定間隔（隙間）移動させることが可能である。
換言すれば、挿入部１４内において、電子機器２１を携帯状態から伸長状態に移行する途中の半開脚状態に移動させることが可能である。
【００３６】
第１内面１４Ｂに第１磁石（磁石）３３が設けられ、第２内面１４Ｃに第２磁石（磁石）３４が設けられている。
第１内面１４Ｂに第１磁石３３を設け、第２内面１４Ｃに第２磁石３４を設けた理由を以下に説明する。
すなわち、電子機器２１は携帯状態から伸長状態に移行する際に、電子機器２１自身の状態（携帯または伸長）を磁力で検知する検出部３５が第１筐体２２、第２筐体２３に設けられている。
【００３７】
このため、電子機器用置台１０の挿入部１４内において、電子機器２１を半開脚状態に保持した際に、電子機器２１の半開脚状態を検出部３５が検出して表示部や操作部を点灯させ、電力を消費することが考えられる。
【００３８】
そこで、第１内面１４Ｂに第１磁石３３を設け、第２内面１４Ｃに第２磁石３４を設けるようにした。
よって、電子機器２１の半開脚状態において、第１磁石３３に第１筐体２２を近接させ、第２磁石３４に第１筐体２２を近接させることができるので、電子機器２１を携帯状態と同じ磁力状態に保つことができる。
これにより、検出部３５が動作をしないようにして、表示部や操作部の点灯を防いで電力の消費を抑えることができる。
【００３９】
さらに、第１内面１４Ｂに第１磁石３３を設け、第２内面１４Ｃに第２磁石３４を設けることにより検出部３５の動作を抑えることができるので、第１筐体２２および第２筐体２３間の隙間（間隔）を、例えば清浄（除菌）効果に合わせて任意に調整できる。
【００４０】
イオン発生部１３の下方に送風部１５が設けられている。
送風部１５は、本体１１の底部１１Ａに収容され、底部１１Ａに設けられた外気導入口３７を介して本体１１の外部に連通されている。
さらに、送風部１５は、イオン発生部１３や挿入部１４の底部１４Ａに導通路３１を介して連通されている。イオン発生部１３は挿入部１４の上流側で導通路３１に連通されている。
【００４１】
よって、送風部１５の送風ファン３９を駆動することにより、本体１１外の外気を導通路３１から吸引し、吸引した外気を導通路３１に導くことができる。
導通路３１に外気が導かれることによりイオン発生部１３のイオンが導通路３１に導かれる。
これにより、導通路３１内において、外気（すなわち、空気）にイオンが含まれる。イオンを含んだ空気（すなわち、イオン空気）は、送風ファン３９で挿入部１４内に送風される。
【００４２】
電源部１６は、本体１１に収容され、導通路３１の近傍に設けられている。
この電源部１６を外部電源（図示せず）に接続することにより、送風部１５や給電端子１７に電力を供給可能である。
【００４３】
給電端子１７は、電源部１６の上方に設けられ、かつ、電源部１６に接続されている。
この給電端子１７は、第１内面１４Ｂの貫通孔４１を介して挿入部１４内に突出可能に形成されている。
挿入部１４内に突出させた給電端子１７を電子機器２１の充電端子４２に接触させることにより、電子機器２１に電力を供給（充電）できる。
【００４４】
固定手段１８は、挿入部１４に挿入された電子機器２１の第１筐体２２を固定する手段である。
具体的には、固定手段１８は、挿入部１４の底部に設けられた下固定部４４と、蓋部材１２の裏面に設けられた上固定部４５とを有する。
【００４５】
下固定部４４は、第１筐体２２の底部２２Ａを支える部位（凸部）である。
この下固定部４４は、底部２２Ａの凹部に嵌合可能に形成されている。
上固定部４５は、第１筐体２２の頂部２２Ｂを支える部位（凸部）である。
この上固定部４５は、頂部２２Ｂの凹部に嵌合可能に形成されている。
下固定部４４で第１筐体２２の底部２２Ａを支え、かつ、上固定部４５で第１筐体２２の頂部２２Ｂを支えることにより、挿入部１４に挿入された第１筐体２２を安定的に固定できる。
【００４６】
移動手段１９は、挿入部１４に挿入された電子機器２１の第２筐体２３を第１筐体２２から離れる方向に移動させる手段である。
具体的には、移動手段１９は、第２筐体２３の下端面（端面）２３Ａに密着する弾性部材４７と、弾性部材４７を回動させる回動部４８と、回動部４８に設けられた操作レバー４９とを有する。
【００４７】
回動部４８は、側面視で略く字状に形成され、折曲部が支持軸（図示せず）で回転自在に設けられている。
回動部４８の先端部に弾性部材４７が設けられ、回動部４８の基端部に操作レバー４９が設けられている。
【００４８】
弾性部材４７は、操作レバー４９を保持位置Ｐ１に配置された状態で、第２筐体２３の下端面２３Ａに密着可能に形成されている。
さらに、弾性部材４７は、第２筐体２３の下端面２３Ａに密着された状態で、操作レバー４９を回動位置Ｐ２まで移動することにより、第２筐体２３を第１筐体２２から離れる方向に移動可能に形成されている。
第２筐体２３の下端面２３Ａに弾性部材４７を密着させて第２筐体２３を移動可能に形成することにより、第２筐体２３（すなわち、電子機器２１）に傷が付くことを抑えることができる。
【００４９】
移動手段１９によれば、電子機器２１を挿入部１４に挿入させた状態で、第２筐体２３の下端面２３Ａを弾性部材４７に密着させることができる。
この状態において、操作レバー４９を保持位置Ｐ１から回動位置Ｐ２まで移動することにより、電子機器１０を傷つけることなく、第２筐体２３を第１筐体２２から離れる方向に移動できる。
第２筐体２３を第１筐体２２から離れる方向に移動することにより、第１筐体２２および第２筐体２３間に所定間隔を確保できる。
【００５０】
この状態において、給電端子１７が電子機器２１の充電端子４２に接触されている。
電源部１６が外部電源に接続されることにより、給電端子１７を経て電子機器２１に給電される。
さらに、送風部１５に電力が供給されることにより、送風部１５の送風ファン３９が駆動する。送風ファン３９を駆動することにより、本体１１外の外気を導通路３１から吸引し、吸引した外気を導通路３１に導くことができる。
【００５１】
導通路３１に外気が導かれることによりイオン発生部１３のイオンが導通路３１に導かれる。
これにより、導通路３１内において、外気（すなわち、空気）にイオンが含まれる。イオンを含んだイオン空気は送風ファン３９で挿入部１４内に送風される。
【００５２】
ここで、挿入部１４に電子機器２１を挿入した状態において、第１筐体２２および第２筐体２３間に所定間隔が確保されている。
よって、挿入部１４内に送風されたイオンを含んだ空気を第１筐体２２および第２筐体２３間の所定間隔に案内できる。
【００５３】
これにより、第１筐体２２および第２筐体２３間にイオン空気を好適に送り込むことが可能になり、良好な清浄（除菌）効果が得られる。
特に、第１筐体２２の操作部、マイク部や第２筐体２３の表示部、レシーバ等の良好な清浄（除菌）効果が得られる。
【００５４】
このように、挿入部１４内の電子機器２１をイオン空気で清浄した後、電子機器２１を清浄したイオン空気は挿入部１４を経て排気口２９に導かれる。
排気口２９に導かれたイオン空気は排気口２９を経て本体１１の外部に排出される。
【００５５】
（第２実施形態）
次に、第２実施形態を図３に基づいて説明する。
なお、第２実施形態において第１実施形態の電子機器用置台１０と同一類似部材については同じ符号を付して説明を省略する。
【００５６】
第２実施形態の電子機器用置台６０は、第１実施形態の移動手段１９に代えて移動手段６２を備えたもので、その他の構成は第１実施形態の電子機器用置台１０と同様である。
【００５７】
移動手段６２は、第１筐体２２および第２筐体２３間に挿入可能な先細りの挿入部材６３と、挿入部材６３に設けられた第１磁石（磁石）６４および第２磁石（磁石）６５とを有する。
挿入部材６３は、挿入部１４の底部１４Ａから上方に向けて突出させた簡素な部材である。
この挿入部材６３は、上半部６３Ａにおいて、第１筐体２２に対向する第１外面（外面）６３Ｂと、第２筐体２３に対向する第２外面（外面）６３Ｃとを有する。
【００５８】
第１外面６３Ｂは、略鉛直状に形成されている。
第２外面６３Ｃは、上方から下方に向けて徐々に第１外面６３Ｂから離れるように傾斜状に形成されている。
すなわち、挿入部材６３の上半部６３Ａは、第１外面６３Ｂおよび第２外面６３Ｃで略くさび状に形成されている。
【００５９】
よって、電子機器２１を挿入部１４に挿入させることにより、第２外面６３Ｃで第２筐体２３を第１筐体２２から離れる方向に移動させることができる。
これにより、第１筐体２２および第２筐体２３間に所定間隔を確保できる。
したがって、第１筐体２２および第２筐体２３間にイオン空気を好適に送り込むことが可能になり、良好な清浄（除菌）効果が得られる。
【００６０】
ここで、挿入部材６３は、挿入部１４の底部１４Ａから上方に向けて突出させた簡素な部材である。よって、挿入部材６３を低コストで製造可能である。
これにより、低コストの挿入部材６３で第１筐体２２および第２筐体２３間に所定間隔を確保できる。
【００６１】
さらに、電子機器２１を挿入部１４に挿入させるだけで、第１筐体２２および第２筐体２３間に挿入部材６３で所定間隔を確保できる。
これにより、第１実施形態の移動手段１９のように操作レバー４９を操作する手間を省くことができ、電子機器２１を充電および清浄（除菌）する際の取り扱いが容易になる。
【００６２】
挿入部材６３は、送風部１５からの空気を第１筐体２２および第２筐体２３間に案内する導通路６７を有する。
この導通路６７は、上流端が送風部１５に連通され、挿入部材６３の第１外面６３Ｂや第２外面６３Ｃに複数の送風口６７Ａを有する。
複数の送風口６７Ａは、第１筐体２２の裏面２２Ｃおよび第２筐体２３の裏面２３Ｂに対向されている。
さらに、導通路６７は、上流端近傍においてイオン発生部１３に連通されている。
【００６３】
よって、送風部１５の送風ファン３９を駆動することにより、本体１１外の外気を外気導入口３７から吸引し、吸引した外気を導通路６７に導くことができる。
導通路６７に外気が導かれることによりイオン発生部１３のイオンが導通路６７に導かれる。
これにより、導通路６７内において、外気（すなわち、空気）にイオンが含まれる。イオンを含んだイオン空気は、複数の複数の送風口６７Ａから挿入部１４内に送風される。
【００６４】
ここで、複数の送風口６７Ａは、第１筐体２２裏面２２Ｃおよび第２筐体２３の裏面２３Ｂに対向されている。
よって、複数の送風口６７Ａから送風する空気（イオン空気）を第１筐体２２および第２筐体２３間に案内できる。
【００６５】
これにより、第１筐体２２および第２筐体２３間にイオン空気を好適に送り込むことが可能になり、良好な清浄（除菌）効果が得られる。
特に、第１筐体２２の操作部、マイク部や第２筐体２３の表示部、レシーバ等の良好な清浄（除菌）効果が得られる。
【００６６】
挿入部材６３のうち、第１筐体２２に対向する第１外面６３Ｂに第１磁石６４が設けられ、第２筐体２３に対向する第２外面６３Ｃに第２磁石６５が設けられている。
挿入部材６３の第１外面６３Ｂに第１磁石６４を設け、第２筐体２３に第２磁石６５を設けることにより、電子機器２１の半開脚状態において、電子機器２１を携帯状態と同じ磁力状態に保つことができる。
これにより、電子機器２１の検出部３５が動作をしないようにして、表示部や操作部の点灯を防いで電力の消費を抑えることができる。
【００６７】
さらに、第１外面６３Ｂに第１磁石６４を設け、第２外面６３Ｃに第２磁石６５を設けることにより検出部３５の動作を抑えることができるので、第１筐体２２および第２筐体２３間の隙間（間隔）を、例えば清浄（除菌）効果に合わせて任意に調整できる。
【００６８】
以上説明したように、第２実施形態の電子機器用置台６０によれば、第１実施形態の電子機器用置台１０と同様の効果を得ることができる。
【００６９】
次に、第１実施形態、第２実施形態の変形例１および変形例２を図４、図５に基づいて説明する。
なお、変形例１および変形例２において第１実施形態の電子機器用置台１０、第２実施形態の電子機器用置台６０と同一類似部材については同じ符号を付して説明を省略する。
【００７０】
（変形例１）
変形例１の電子機器用置台８０は、電子機器２１のヒンジ部２４を下向きの状態にセット可能に形成されたものである。
変形例１の電子機器用置台８０によれば、第１実施形態の電子機器用置台１０や第２実施形態の電子機器用置台６０と同様に良好な清浄効果が得られる。
【００７１】
（変形例２）
変形例２の電子機器用置台９０は、電子機器２１を横向きの状態にセット可能に横型に形成されたものである。
変形例２の電子機器用置台９０によれば、第１実施形態の電子機器用置台１０や第２実施形態の電子機器用置台６０と同様に良好な清浄効果が得られる。
【００７２】
なお、本発明に係る電子機器用置台は、前述した実施形態に限定されるものではなく適宜変更、改良等が可能である。
例えば、第１実施形態および第２実施形態では、蓋部材１２を備えた例について説明したが、これに限らないで、蓋部材１２を備えないように構成することも可能である。
【００７３】
また、第１実施形態および第２実施形態で使用した電子機器用置台、本体、イオン発生部、挿入部、送風部、固定手段、移動手段、電子機器、弾性部材、回動部および挿入部材等の形状や構成は例示したものに限定するものではなく適宜変更が可能である。
【産業上の利用可能性】
【００７４】
本発明は、第１筐体および第２筐体が互いに積層された携帯状態と、第１筐体および第２筐体が互いに離れた伸長状態とを取り得る電子機器を携帯状態で保持可能な電子機器用置台への適用に好適である。
【符号の説明】
【００７５】
１０，６０，８０，９０  電子機器用置台
１１，８２，９２  本体
１３  イオン発生部
１４，８３，９３  挿入部
１４Ｂ  第１内面（内面）
１４Ｃ  第２内面（内面）
１５  送風部
１６  電源部
１７  給電端子
１８  固定手段
１９  移動手段
２１  電子機器
２２  第１筐体
２３  第２筐体
２３Ａ  第２筐体の下端面
２４  ヒンジ部
３３，６４  第１磁石（磁石）
３４，６５  第２磁石（磁石）
４２  充電端子
４７  弾性部材
４８  回動部
６３  挿入部材
６３Ｂ  第１外面（外面）
６３Ｃ  第２外面（外面）
６７  導通路
【図１】
2013042336.tif 000003
【図２】
2013042336.tif 000004
【図３】
2013042336.tif 000005
【図４】
2013042336.tif 000006
【図５】
2013042336.tif 000007